(57)【要約】【課題】選択対象の複数の項目が選択される場合に、各項目に割り当てられた複数の操作ボタンを押した後に確定キーを押すことにより、ユーザが複数の項目を効率良く選択し、確定することができる複数項目の選択装置を提供する。【解決手段】複数の項目に対し各一の操作ボタンを割り当てるボタン割り当て部８と、ボタン割り当て部８で割り当てられた前記各項目と操作ボタンとの対応情報および操作ボタンの押下履歴の情報を記憶する記憶手段９とを備え、制御手段１０により、操作ボタンの操作ごとにこの操作ボタンに割り当てられた前記各項目の候補を選択し、確定ボタンの操作入力にもとづいて、前記候補として選択されたすべての項目を選択する。【選択図】図１
2006148318.tif 000002
【特許請求の範囲】
【請求項１】
表示部に表示された選択対象の複数の項目に対し、各一の操作ボタンを割り当てるボタン割り当て手段と、
ボタン割り当て部により割り当てられた前記各項目と操作ボタンとの対応情報および操作ボタンの押下履歴の情報を記憶する記憶手段と、
操作ボタンの押下ごとにこの操作ボタンに割り当てられた前記各項目の候補を選択し、確定ボタンの操作入力にもとづき、前記候補として選択されたすべての項目を確定する制御手段と、
を備えることを特徴とする複数項目の選択装置。
【請求項２】
前記制御手段は、操作ボタンの操作ごとにこの操作ボタンに割り当てられた前記各項目の候補を選択し、これらの候補のうち、有効な選択肢として割り当てられた操作ボタンのみをバックライトにより発光させるボタン発光決定部を有することを特徴とする請求項１に記載の複数項目の選択装置。
【発明の詳細な説明】
【技術分野】
【０００１】
本発明は、携帯端末装置等の表示部に表示された選択対象の複数の項目を、操作ボタンにより選択および確定可能にする複数項目の選択装置に関する。
【背景技術】
【０００２】
携帯端末装置の高機能化が進むにつれて、各機能を割り当てるための操作ボタン数が不足するようになった。この操作ボタン数の不足を解消するため、今日では、「０」〜「９」の操作ボタン以外に十字ボタンなどの機能選択ボタンが設けられている（例えば、特許文献１参照）。
一方、表示部に表示された選択対象の複数の項目を選択する場合にも、前記十字キーが用いられており、複数の項目について各項目選択ごとに確定キーを押すことによりその項目の選択を確定可能としている。
【特許文献１】特開２００３−２０９６１０号公報
【発明の開示】
【発明が解決しようとする課題】
【０００３】
しかしながら、従来の携帯端末装置においては、選択対象の項目の選択ごとに、この選択を確定するための確定ボタンを押す必要があるところから、複数の項目を選択する為の操作手順数が多く、作業に時間がかかるという課題があった。
【０００４】
本発明は、従来の問題を解決するためになされたもので、選択対象の複数の項目が選択される場合に、各項目に割り当てられた複数の操作ボタンを押した後に確定キーを押すことにより、ユーザが複数の項目を効率良く選択し、確定することができる複数項目の選択装置を提供することを目的とする。
【課題を解決するための手段】
【０００５】
本発明の複数項目の選択装置は、表示部に表示された選択対象の複数の項目に対し、各一の操作ボタンを割り当てるボタン割り当て手段と、ボタン割り当て部により割り当てられた前記各項目と操作ボタンとの対応情報および操作ボタンの押下履歴の情報を記憶する記憶手段と、操作ボタンの押下ごとにこの操作ボタンに割り当てられた前記各項目の候補を選択し、確定ボタンの操作入力にもとづき、前記候補として選択されたすべての項目を確定する制御手段と、を有している。
【０００６】
この構成により、表示部上の複数の項目に対し操作ボタンを１つずつ割り当て、操作ボタンの操作ごとに割り当てられた項目の候補を選択し、この選択した項目の全てを、確定ボタンを操作することにより確定する。これにより、候補として表示部上で選択した各項目ごとに確定のためのボタン操作をする必要がなくなり、選択対象の項目選択の作業効率が向上する。
【０００７】
また、本発明の複数項目の選択装置は、制御手段が、操作ボタンの操作ごとにこの操作ボタンに割り当てられた前記各項目の候補を選択し、これらの候補のうち、有効な選択肢として割り当てられた操作ボタンのみをバックライトにより発光させる構成としている。
【０００８】
この構成により、候補として選択された項目のうち、有効な選択肢のみをユーザに分かり易く表示でき、結果として、無効な選択肢を選択するような無駄な操作を軽減することができる。
【発明の効果】
【０００９】
本発明によれば、操作ボタンの操作ごとにこの操作ボタンに割り当てられた複数の項目の候補を選択し、一つの確定ボタンの操作により、前記候補として選択されたすべての項目を同時に確定する構成としたことにより、候補として選択した各項目ごとに、いちいち確定のためのボタン操作を繰り返す必要がなくなり、項目選択ための作業効率を向上することができる。
【発明を実施するための最良の形態】
【００１０】
以下、本発明の実施形態の複数項目の選択装置について、図面を用いて説明する。
本発明の、第１の実施形態の複数項目の選択装置について、図面を用いて説明する。
(第１の実施形態)
本発明の第１の実施形態の複数項目の選択装置を、図１に示す。
図１において、携帯端末装置１は、操作ボタン２と、ボタン押下検出部３と、ディスプレイ(表示部)４と、画面表示制御部５と、メモリ部６と、プログラム管理部７と、ボタン割り当て部８と、データベース(記憶手段)９と、端末制御部１０と、中央演算部１１と、を有する。
【００１１】
前記操作ボタン２は、例えば携帯端末装置における「０」〜「９」の操作ボタンであり、ディスプレイ４に表示された項目の候補の選択時に押圧操作される。ボタン押下検出部３は、操作ボタン２の押下を検出して端末制御部１０に入力する。
ディスプレイ４は、画面表示制御部５により画面上に複数の項目を表示する。メモリ部６は、端末上で動作するプログラム６や前記項目等の各種情報を格納する。プログラム管理部７は、端末上でのプログラムの動作を管理する。
【００１２】
ボタン割り当て部８は、プログラムが選択を要求する表示部上の複数の項目に対し各一の操作ボタン、例えば操作ボタン「１」〜「３」を割り当てる。データベース(記憶手段)９は、ボタン割り当て部８により割り当てられた前記各項目と操作ボタンとの対応情報および操作ボタンの押下履歴の情報を記憶する。端末制御部(制御手段)１０は、操作ボタンの操作ごとにこの操作ボタンに割り当てられた前記各項目の候補を選択し、確定ボタンの操作をトリガとして、候補として選択されたすべての項目を選択する。中央演算部１１は、端末制御部１０の制御を司る。
【００１３】
図２は、携帯端末装置１の概観図であり、表示部２１と操作部２２とを有する。表示部２１は、前記ディスプレイ４に対応し、ここでは液晶画面に選択対象の項目を複数表示するものとして用いられる。複数の項目を選択する例として、メール送信時の送信先ユーザの選択(ユーザリスト)や図示のデータ同期を実行する際の同期対象データベースの選択（データベースリスト）がある。これらのリスト上の各項目には各操作ボタンに割り当てられたボタンＩＤと関連づける為の番号が付けられる。操作部２２は、ボタンＩＤ「Ｂ１」〜「Ｂ９」に対応する操作ボタンとボタンＩＤ「Ｆ１」〜「Ｆ４」に対応する機能ボタンとを有する。図に示した例においては、表示部２１に表示された前記三つの選択候補「電話帳」、「スケジュール」、「電子メール」が、操作ボタンのボタンＩＤ「Ｂ１」、「Ｂ２」、「Ｂ３」に対応するように番号順に割り当てられている。
【００１４】
また、前記項目「電話帳」、「スケジュール」、「電子メール」は、プログラムの要求にしたがって前記ボタン割り当て部８においてリストＩＤが割り当てられ、図３に示す選択項目候補リストとしてデータベース９に保持される。このリストＩＤに対し、ボタンＩＤ「Ｂ１」、「Ｂ２」、「Ｂ３」がボタン割り当て部８で割り当てられ、図４に示すボタン割り当てテーブルとしてデータベース９に保持される。さらに、データベース９には、ボタン割り当て部８が管理する図５に示すボタン押下履歴テーブルが保持される。
【００１５】
次に、表示部２１に表示される複数の項目をボタンＩＤ「Ｂ１」〜「Ｂ３」の各操作ボタンに割り当てる手順と、複数の項目を操作ボタンにより選択する手順を、図３〜図５に示すテーブルと図６〜図８を用いて説明する。なお、図６では、操作部２２上の前記ボタンＩＤ「Ｂ１」〜「Ｂ９」に対応する操作ボタンを「１」〜「９」の数字で示してある。
まず、複数の項目に操作ボタン「１」〜「３」を割り当てるには、図７に示すように、前記複数の項目を選択させるためのプログラムを起動する(ステップＳ１)。また、これまでの操作ボタン「１」〜「３」の押下履歴をクリアした後(ステップＳ２)、表示部２１の画面に表示された複数項目にリストＩＤ「Ｌ１」〜「Ｌ３」を割り当て、図３に示すような選択項目候補リストを取得する(ステップＳ３)。
また、リストＩＤ「Ｌ１」〜「Ｌ３」に操作ボタンのボタンＩＤ「Ｂ１」〜「Ｂ３」を割り当て、図４に示すようにボタン割り当てテーブルを更新し、ボタン割り当て部８に管理させ、さらにデータベース９に保持させる(ステップＳ４)。これによりボタン押下の待機状態となる(ステップＳ５)。
【００１６】
次に、複数の項目を操作ボタン「１」〜「３」により選択する手順を図８を用いて説明する。初めに、例えば操作ボタン「２」を押下すると(ステップＳ１１)、端末制御部１０はそのボタンＩＤに対応するリストＩＤを取得し(ステップＳ１２)、このリストＩＤから図３に示す選択項目候補リストを参照して選択項目の候補として「スケジュール」を選択する。次に、この操作ボタン「２」の押下後に、キャンセルボタン（機能ボタン）「Ｆ２」が押されたか否かを判定し（ステップＳ１３）、キャンセルボタン「Ｆ２」が押された場合には、処理を終了する。一方、キャンセルボタン「Ｆ２」ボタンが押されなかったと判定された場合には、続いて確定ボタン(機能ボタン)「Ｆ１」が押されたか否かを判定する(ステップＳ１４)。確定ボタン「Ｆ１」が押されていない場合には、ボタンＩＤをボタン押下履歴として、図５に示すようなボタン押下履歴テーブルに保持し、確定ボタン「Ｆ１」が押されるまで、以後ステップＳ１１以降の処理を繰り返す(ステップＳ１５)。この場合において、例えば操作ボタン「２」を二度押した場合には履歴を削除し、選択を無効にする。
【００１７】
一方、ボタンＩＤの取得後に、確定ボタン「Ｆ１」が押されると(ステップＳ１４)、選択項目の候補の取得が停止され、少なくとも一つの項目が選択されたか否かを判定する(ステップＳ１６)。項目が一つでも選択されたと判定されると、選択完了(選択が確定)となり、ボタン押下履歴の選択結果が前記項目選択のプログラムに通知される（ステップＳ１７）。また、ステップＳ１６でいずれの項目も選択されないと判定された場合には、「項目未選択」を画面上のいずれかの場所に表示し(ステップＳ１８)、再びステップＳ１１以下の手順を実行させる。
【００１８】
このように、確定ボタン「Ｆ１」を押すまでは、複数の操作ボタン「１」〜「３」による複数項目の選択を可能にし、一回の確定ボタン「Ｆ１」の押下で項目の選択を同時に完了(確定)するという手順を採るため、複数項目を選択する場合の項目選択の作業効率を大きく改善することができる。
【００１９】
(第２の実施形態)
図９は、本発明の第２の実施形態の複数項目の選択装置示す。
この第２の実施形態は、複数の選択候補の項目のうち、有効な選択肢が割り当てられている操作ボタンのバックライトのみを点灯させるという構成を持つ。このため、有効な選択肢が割り当てられているリストＩＤ対応のボタンＩＤをもつ、図１０に示すような選択肢リストを、プログラムによりボタン発光決定部１２で生成し、データベースに保存する。ボタン発光決定部１２は、複数の選択候補の項目のうち、有効な選択肢が割り当てられたいずれの操作ボタンのバックライトを発光するかを決定し、この決定に従って端末制御部１０が、発光制御部３１を通じてボタン発光部３２を発光させ、例えば色付きで操作ボタンのバックライトを発光(点灯)させるように機能する。
【００２０】
このほかの構成は、図１に示したものと略同様であり、また、データベース９に保持される選択項目候補リストおよびボタン割り当てテーブルも、図３および図４に示すものと全く同一である。このため、これらの重複する説明を省略する。
【００２１】
次に、表示部２１に表示された複数の項目をボタンＩＤ「Ｂ１」〜「Ｂ３」に割り当てる手順を、図１１に示す携帯端末装置１および図１３のフローチャートを参照して説明する。なお、図１１は、図６に示したものと外形が同一であり、その構成部分についての重複説明を省略する。
まず、複数の項目に操作ボタン「１」〜「３」を割り当てるには、前記複数の項目を選択させるためのプログラムを起動する(ステップＳ２１)。また、これまでの操作ボタンの押下履歴をクリアした後(ステップＳ２２)、表示部２１の画面に表示された複数項目にリストＩＤ「Ｌ１」〜「Ｌ３」を割り当てて、図３に示すような選択項目候補リストを取得する(ステップＳ２３)。
また、リストＩＤ「Ｌ１」〜「Ｌ３」に操作ボタンのボタンＩＤを割り当て、図４に示すようにボタン割り当てテーブルを更新して、ボタン割り当て部８に管理させ、さらにデータベース９に保持させる(ステップＳ２４)。
【００２２】
続いて、端末制御部１０はデータベース９に保持された、図１０の有効な選択肢リストを取得し(ステップＳ２５)、各リストＩＤ「Ｌ１」〜「Ｌ３」に対応の各ボタンＩＤ「Ｂ１」〜「Ｂ３」が無効か有効かを判定する。この判定の結果、リストＩＤ「Ｌ１」が無効、リストＩＤ「Ｌ２」が有効、リストＩＤ「Ｌ３」が有効である場合には、操作ボタン「１」〜「３」のうち操作ボタン「２」、「３」の発光を指示する(ステップＳ２６)。
これにより、有効な選択肢をユーザに分かり易く通知することができる。この場合に、操作ボタン「２」、「３」の発光を個別に行わせる。この後、ボタン押下の待機状態に移行する。この結果、前述のボタン押下による項目の選択手順において、無効な選択肢を選択するような無駄な操作を低減できることになる。
なお、ここで述べる無効とは、該当するプログラムが項目の選択を受け付けない状態、例えばメール送信先のメールアドレスに文法上の間違いがある、チャットの交信相手がメッセージを受けられない状態等が想定される。
なお、図１２に示すように、複数の項目を選択している際には、既に選択した、例えば情報送信先の「ユーザＢ」、「ユーザＣ」の項目を「ユーザＡ」の項目に対し別の色で発光させたり、点滅させたりしてもよく、これによってユーザにより分かり易く表示できる。
【００２３】
本実施の形態における各操作ボタン「１」〜「３」のバックライトは個別の多彩な色で発光することが望ましい。例えば、図１４に示すように、操作部２３を、液晶画面を用いたタッチパネル型の操作ボタン部２４とした場合には、個々の操作ボタン部２４の各操作ボタンに割り当てられた領域を、個別に多彩な色で発色させることができる。また、各操作ボタン自体に項目の概要を示す文字列を表示させれば、ユーザには項目がより分かり易くなる。
【産業上の利用可能性】
【００２４】
以上のように、本発明にかかる複数項目の選択装置は、操作ボタンの操作ごとにこの操作ボタンに割り当てられた複数の項目の候補を選択し、一つの確定ボタンの操作により、前記候補として選択されたすべての項目を同時に確定する構成としたことにより、候補として選択した各項目ごとに、いちいち確定のためのボタン操作を繰り返す必要がなくなり、項目選択ための作業効率を向上することができるという効果を有し、携帯端末装置等の表示部に表示された選択対象の複数の項目を、操作ボタンにより選択および確定可能にする複数項目の選択装置等として有用である。
【図面の簡単な説明】
【００２５】
【図１】本発明の第１の実施形態による複数項目の選択装置を示すブロック図
【図２】図1における複数項目の選択装置の概観図
【図３】本発明におけるデータベースに保持される選択項目候補リストのリスト図
【図４】本発明におけるデータベースに保持されるボタン割り当てテーブルのテーブル図
【図５】本発明におけるデータベースに保持されるボタン押下履歴テーブルのテーブル図
【図６】表示部に操作ボタン「１」〜「９」を持つ複数項目の選択装置の概観図
【図７】本発明における操作ボタンの割り当て手順を示すフローチャート
【図８】本発明における項目選択手順を示すフローチャート
【図９】本発明の第２の実施形態による複数項目の選択装置を示すブロック図
【図１０】本発明におけるデータベースに保持される有効な選択肢リストのリスト図
【図１１】本発明における操作ボタンのバックライト点灯状態を示す複数項目の選択装置の概観図
【図１２】本発明により選択される項目の表示例を示す複数項目の選択装置の概観図
【図１３】本発明の第２の実施形態におけるボタン割当て手順を示すフローチャート
【図１４】本発明の他の実施形態による複数項目の選択装置の概観図
【符号の説明】
【００２６】
１  携帯端末装置
２  操作ボタン
４  ディスプレイ
８  ボタン割り当て部
１０  制御手段
１２  ボタン発光決定部
２１  表示部
２２  操作部
【図１】
2006148318.tif 000003
【図２】
2006148318.tif 000004
【図３】
2006148318.tif 000005
【図４】
2006148318.tif 000006
【図５】
2006148318.tif 000007
【図６】
2006148318.tif 000008
【図７】
2006148318.tif 000009
【図８】
2006148318.tif 000010
【図９】
2006148318.tif 000011
【図１０】
2006148318.tif 000012
【図１１】
2006148318.tif 000013
【図１２】
2006148318.tif 000014
【図１３】
2006148318.tif 000015
【図１４】
2006148318.tif 000016